(57)【要約】【課題】側面のどの位置からでも収納空間内に物を出し入れできて使用が便利な収納キャビネットを提供する。【解決手段】柱で支持された上板２の下方に収納空間Ｓが形成され、上板２の底面の全周にレール１５ａ，１５ｂが設けられ、このレール１５ａ，１５ｂに、収納空間Ｓの側面全周をスライド移動可能に、可動式のシャッター１６ａ，１６ａ，１６ａが設けられている。また、上板２にはシンク３が形成されており、上板２上には軸管７を中心に水平面内で回転し得る天板９が設けられている。【選択図】図１
2009018064.tif 000002
【特許請求の範囲】
【請求項１】
柱で支持された上板の下方に収納空間が形成され、前記上板の底面の全周にレールが設けられ、該レールに、前記収納空間の側面全周をスライド移動可能に、可動式のシャッターが設けられていることを特徴とする収納キャビネット。
【請求項２】
前記上板にはシンクが形成されていることを特徴とする請求項１に記載の収納キャビネット。
【請求項３】
前記上板上に、軸を中心に水平面内で回転し得る天板を設け、該天板により上板上面を覆うことができるように構成したことを特徴とする請求項１または請求項２に記載の収納キャビネット。
【発明の詳細な説明】
【技術分野】
【０００１】
本発明は、収納キャビネットに関するものである。
【背景技術】
【０００２】
従来、特許文献１に開示されているように、収納空間を開閉できるシャッターを左右２枚で構成した収納キャビネットが存在する。
【特許文献１】特開２００３−２７５０４０号公報
【発明の開示】
【発明が解決しようとする課題】
【０００３】
上記従来の収納キャビネット構造では、収納空間の前半分だけシャッターを開閉させて開くことができるが、後方側はシャッターが収納されるものであり、そのため、収納キャビネットの収納空間の側面および背面部分は開閉できず、不便であった。
【課題を解決するための手段】
【０００４】
本発明は上記従来の問題点に鑑み案出したものであって、キャビネットの収納空間の側面全周を開閉可能にして、側面のどの位置からでも収納空間内に物を出し入れできて使用が便利な収納キャビネットを提供するものであり、その請求項１は、柱で支持された上板の下方に収納空間が形成され、前記上板の底面の全周にレールが設けられ、該レールに、前記収納空間の側面全周をスライド移動可能に、可動式のシャッターが設けられていることである。
【０００５】
また請求項２は、前記上板にはシンクが形成されていることである。
【０００６】
また請求項３は、前記上板上に、軸を中心に水平面内で回転し得る天板を設け、該天板により上板上面を覆うことができるように構成したことである。
【発明の効果】
【０００７】
本発明の収納キャビネットは、柱で支持された上板の下方に収納空間が形成され、前記上板の底面の全周にレールが設けられ、該レールに、前記収納空間の側面全周をスライド移動可能に、可動式のシャッターが設けられていることにより、シャッターを開閉させて、収納キャビネットの側面のどの位置からでも収納空間内に物を出し入れできるものとなる。
【０００８】
また、前記上板にはシンクが形成されていることにより、シンク内で洗い物等を行うことができ、キッチンキャビネットとして有効に使用することができるものとなる。
【０００９】
また、前記上板上に、軸を中心に水平面内で回転し得る天板を設け、該天板により上板上面を覆うことができるように構成したことにより、上板上面を覆うように天板を回転させて、良好にシンクの上面を蓋することができ、また、天板を回転させてシンクを開放させ、シンク内に水を溜めて洗い物に使用することができ、また、天板上では調理等を行うことができるものとなる。
【実施例】
【００１０】
以下、本発明の実施例を図面に基づいて説明する。
図１は、アイランドタイプのキッチンキャビネットの斜視図であり、また図２は、図１のキッチンキャビネットの一部縦断面構成図であり、また図４は、キッチンキャビネットの平面図であり、更に図５は、キッチンキャビネットの収納空間を水平方向に切断した断面構成図である。
【００１１】
図において、キッチンキャビネット１の上面は、上板２で構成されており、この上板２は、その外周に一体で立ち上げられて全周に外周立片２ａが形成されて、外周立片２ａの内側が水を溜めることのできるシンク３となっており、このシンク３は、底の浅い浅底部３ａと、一部深く形成された深底部３ｂで構成され、深底部３ｂには排水口４が開口されている。
【００１２】
この上板２は、図４の平面図で示すように、３方に湾曲状に突出した湾曲突部Ｐ１，Ｐ１，Ｐ１が形成されており、各湾曲突部Ｐ１，Ｐ１間は緩やかに凹み状に内側へ湾曲する湾曲凹部Ｐ２，Ｐ２，Ｐ２で連続されて、平面視変形三角形状に形成されている。
また、キッチンキャビネット１の底面側は、底板５で形成され、この底板５の外周全域には、上方へ一体で立ち上げて外周立片５ａが形成されており、この底板５は図５に示すように、前記上板２と同様な３方向に突出する湾曲突部Ｐ１，Ｐ１，Ｐ１間が緩やかな湾曲凹部Ｐ２，Ｐ２，Ｐ２で連続されて、上板２と同一の平面形状に形成されている。
【００１３】
この底板５の３方の湾曲突部Ｐ１，Ｐ１，Ｐ１のそれぞれの内側には、垂直に柱６ａ，６ｂ，６ｃが立設されており、各柱６の上端に前記上板２の底部が組み付けられている。即ち、３本の柱６ａ，６ｂ，６ｃにより上板２は水平に支持されている。
この上板２の底面と底板５間には収納空間Ｓが形成されており、この収納空間Ｓ内には、例えば２段の上部棚１４ａと下部棚１４ｂが上下に間隔をおいてそれぞれ水平に配置されている。即ち、上部棚１４ａは、柱６ａ，６ｂ間にその両端が支持されており、また下部棚１４ｂは、柱６ａ，６ｃ間にその両端が支持されて、上部棚１４ａと下部棚１４ｂは、それぞれ平面視略ブーメラン状に形成されたものである。
【００１４】
前記上板２内に形成されたシンク３の上面には、水平面内で回転可能に天板９が設けられている。
この天板９は、シンク３のほぼ中央部から立ち上がる軸管７から、３方向にそれぞれ略水平に延出された３本の支持アーム８上に略水平に載置されたものであり、天板９は透明な板材あるいは不透明な板材で上板２とほぼ同一の平面形状に形成されており、３方に突出する湾曲突部Ｐ１，Ｐ１，Ｐ１間が湾曲凹部Ｐ２，Ｐ２，Ｐ２で連続された形状に形成されている。
この天板９を軸管７を中心として水平面内で回転させることにより、天板９を上板２上に整合させると、シンク３の上面が天板９で覆われることとなり、使用しない時にはシンク３を天板９で隠して、天板９上を机代わりに使用することもできるものである。
また、シンク３を使用する場合には、天板９を回転させてシンク３の上面を開放させ、シンク３内で良好に洗い物をすることができ、また、天板９上を調理台として使用して、調理を良好に行うことができるものである。
【００１５】
なお、軸管７内には、キッチンキャビネット１が設置された床面から立ち上げた給水管１１が内装されており、更に、軸管７内には電気配線１３等が内装されている。
軸管７から略水平方向へ延びて複数の枝管１０，１０，１０が上下方向に間隔をおいて設けられており、この枝管１０の内、下方側の枝管は吐水口１０ａとして使用されるものであり、この吐水口１０ａには給水管１１が接続されており、吐水口１０ａからシンク３内へ吐水を行うことができる。
また、その上方の枝管１０ｂには、例えば複数のＬＥＤランプ１３ａ，１３ａを設けておけば、電気配線１３をつないで、照明ランプとして使用することができるものである。
【００１６】
なお、その他の枝管１０は、図６に示すように、コップ２０等の食器やフライ返し２１等の調理器具を掛止するために良好に使用することができるものであり、先端側に上傾した上傾部１０ｃを枝管に一体形成させておけば、コップ２０等の脱落を良好に防ぐことができるものとなる。
なお、調理等を行う際、あるいは机等として使用する場合に、前述した湾曲凹部Ｐ２，Ｐ２，Ｐ２が３方に形成されているため、人がキッチンキャビネット１に近づき易く、それぞれの湾曲凹部Ｐ２内に体を近づけて良好に使用することができ、３方からそれぞれ人が湾曲凹部Ｐ２内に近寄って作業を行うことができるものとなる。
【００１７】
なお、収納空間Ｓの側面を覆蓋するために、シャッター１６ａ，１６ｂが設けられており、シャッター１６ａ，１６ｂは、前記上板２の底面にレール１５ａ，１５ｂを設けて吊り下げても良く、また、底板５の上面にもレール１５ａ，１５ｂを設けて、上下のレール間に設けても良い。
【００１８】
シャッター１６ａ，１６ｂは、例えば図２および図３の拡大縦断面図で示すように、上板２の底面および底板５の上面にそれぞれ外レール１５ａと内レール１５ｂを形成させておき、外レール１５ａに沿ってスライド移動できる外側シャッター１６ａと、内レール１５ｂに沿ってスライド移動できる内側シャッター１６ｂで構成することができ、図５に示すように、３方の湾曲突部Ｐ１，Ｐ１，Ｐ１に沿って、その内側に外側シャッター１６ａ，１６ａ，１６ａをそれぞれ配置させておき、また、３方の湾曲凹部Ｐ２，Ｐ２，Ｐ２の内側にそれぞれ内側シャッター１６ｂ，１６ｂ，１６ｂを設けておくことができ、外側シャッター１６ａに対し内側シャッター１６ｂを内レール１５ｂに沿ってスライド移動させることにより、良好に湾曲凹部Ｐ２の位置を開閉させて、収納空間Ｓ内にこの位置から物を出し入れできるものである。
また、各外側シャッター１６ａを外レール１５ａに沿ってスライド移動させることにより、それぞれの湾曲突部Ｐ１の位置からでも収納空間Ｓ内に物を出し入れすることができるものとなり、キッチンキャビネット１の側面全周の何れの位置からでも、収納空間Ｓ内に物を出し入れして使用することができ、使用が極めて良好なものとなる。
【００１９】
なお、外側シャッター１６ａと内側シャッター１６ｂは、それぞれ透明な素材で形成させておくことができるが、白色等の他の色付きのものであっても良く、更に、半透明の素材であれば、内側シャッター１６ｂに対し外側シャッター１６ａが重なる部分では色が変わるため、意匠性を向上させることができるものとなる。
また、透明あるいは半透明の素材でシャッター１６ａ，１６ｂが構成されている場合は、収納空間Ｓ内に照明ランプ等を配設しておけば、照明ランプからの光が内側シャッター１６ｂおよび外側シャッター１６ａを通して外側へ漏れて、演出照明効果が得られるものとなる。
なお、図２中１２は、シンクの排水口４に連通された排水管であるが、この排水管１２も軸管７内にコンパクトに収納させた構成とすることもできる。
【００２０】
なお、本例のキッチンキャビネット１は、天板９と上板２と底板５とシャッター１６ａ，１６ｂを組み立てたものであり、分解することにより、それぞれの部材が板状となり、重ね合わせることができて、運搬や保管時に嵩張らないものとなる。
なお、本例では、上板２にシンク３を形成したキッチンキャビネット１について例示しているが、シンクを有さない板状の上板２で構成して、作業台等にも使用することができ、上板２の下方の収納空間Ｓを側面のどの位置からでも開閉させて使用することができるものとなる。
なお、底板５の存在しない構造のものであっても良く、この場合は、柱６ａ，６ｂ，６ｃが床面に当接して、柱６ａ，６ｂ，６ｃにより上板２が支持されることとなる。
【００２１】
なお、図７に平面図で示すものは、シャッターを一重にした場合であり、レール１５ａは１本のみで構成され、シャッター１６ａがそれぞれ３方に配置されて、通常は例えばそれぞれの湾曲凹部Ｐ２の部分が開放された状態となるように設計したものである。
【図面の簡単な説明】
【００２２】
【図１】キッチンキャビネット（収納キャビネット）の斜視構成図である。
【図２】図１のキッチンキャビネットの一部縦断面構成図である。
【図３】図２のシャッターの部分の拡大断面構成図である。
【図４】キッチンキャビネットの平面構成図である。
【図５】キッチンキャビネットの収納空間を水平に切断した断面構成図である。
【図６】軸管に形成された枝管にコップ等を掛止した状態の斜視構成図である。
【図７】シャッターを一重構造にした場合の図５に対応する水平断面構成図である。
【符号の説明】
【００２３】
１  キッチンキャビネット
２  上板
２ａ  外周立片
３  シンク
３ａ  浅底部
３ｂ  深底部
４  排水口
５  底板
５ａ  外周立片
６ａ，６ｂ，６ｃ  柱
７  軸管（軸）
８  支持アーム
９  天板
１０  枝管
１０ａ  吐水口
１１  給水管
１２  排水管
１３ａ  照明ランプ
１４ａ，１４ｂ  棚
１５ａ  外レール
１５ｂ  内レール
１６ａ  外側シャッター
１６ｂ  内側シャッター
Ｐ１  湾曲突部
Ｐ２  湾曲凹部
Ｓ  収納空間
【図１】
2009018064.tif 000003
【図２】
2009018064.tif 000004
【図３】
2009018064.tif 000005
【図４】
2009018064.tif 000006
【図５】
2009018064.tif 000007
【図６】
2009018064.tif 000008
【図７】
2009018064.tif 000009